(57)【特許請求の範囲】
【請求項１】
皮膚インピーダンス測定センサにおいて、
ユーザの肌に接触するＲ電極とＣ電極と、
前記Ｒ電極および前記Ｃ電極の間に流れる電流のインピーダンスを測定するＭ電極とを含み、
前記Ｍ電極は、前記Ｒ電極および前記Ｃ電極の間に位置し、段差によって前記Ｒ電極および前記Ｃ電極よりもユーザの肌から離れて配置され、前記Ｒ電極および前記Ｃ電極に接触する前記ユーザの肌が圧力を受けると、前記Ｍ電極の下に位置する前記ユーザの肌は前記圧力による肌の弾力によって盛り上がり前記Ｍ電極に接触可能となることを特徴とする皮膚インピーダンス測定センサ。
【請求項２】
前記Ｍ電極は、前記Ｒ電極および前記Ｃ電極の間に位置し、前記段差は、前記Ｍ電極が前記Ｒ電極および前記Ｃ電極より前記ユーザの肌に所定の時間差を有して接触するように設けられることを特徴とする請求項１に記載の皮膚インピーダンス測定センサ。
【請求項３】
前記Ｒ電極、前記Ｃ電極、および前記Ｍ電極は、バー形態を有することを特徴とする請求項１に記載の皮膚インピーダンス測定センサ。
【請求項４】
皮膚インピーダンス測定センサにおいて、
ユーザの肌に接触するＲ電極とＣ電極と、
前記Ｒ電極および前記Ｃ電極と連結され、前記Ｒ電極および前記Ｃ電極からの圧力によって収縮する弾性素子と、
前記Ｒ電極および前記Ｃ電極の間に流れる電流のインピーダンスを測定するＭ電極とを含み、
前記Ｍ電極は、前記Ｒ電極および前記Ｃ電極の間に位置し、段差によって前記Ｒ電極および前記Ｃ電極よりもユーザの肌から離れて配置され、前記Ｒ電極および前記Ｃ電極に接触する前記ユーザの肌が圧力を受けると、前記弾性素子が前記圧力によって収縮し、前記Ｒ電極および前記Ｃ電極も前記収縮方向に移動され、その結果、前記Ｍ電極が前記ユーザの肌に接触可能となることを特徴とする皮膚インピーダンス測定センサ。
【請求項５】
皮膚インピーダンス測定センサにおいて、
ユーザの肌に接触するＲ電極とＣ電極と、
前記Ｒ電極および前記Ｃ電極の間に流れる電流のインピーダンスを測定するＭ電極と、
前記Ｒ電極、前記Ｃ電極、および前記Ｍ電極が連結されたシーソーアーム部材とを含み、
前記Ｍ電極は、前記Ｒ電極および前記Ｃ電極の間に位置し、段差によって前記Ｒ電極および前記Ｃ電極よりもユーザの肌から離れて配置され、前記シーソーアーム部材は、前記Ｒ電極および前記Ｃ電極の変位によって弾性運動をする第１弾性素子と、
前記Ｍ電極と連結され、前記第１弾性素子の変位によって前記第１弾性素子の変位とは反対の方向に弾性運動をする第２弾性素子とを含み、
前記Ｒ電極および前記Ｃ電極に接触する前記ユーザの肌が圧力を受けると、前記第１弾性素子及び前記第２弾性素子の変位によって前記Ｍ電極が前記ユーザの肌に接触可能となることを特徴とする皮膚インピーダンス測定センサ。
【請求項６】
前記Ｍ電極は、前記Ｒ電極および前記Ｃ電極の間に位置し、前記シーソーアーム部材は、前記Ｍ電極が前記Ｒ電極および前記Ｃ電極より前記ユーザの肌に所定の時間差を有して接触するようにすることを特徴とする請求項５に記載の皮膚インピーダンス測定センサ。
【請求項７】
前記Ｒ電極、前記Ｃ電極、および前記Ｍ電極は、バー形態を有することを特徴とする請求項４および５に記載の皮膚インピーダンス測定センサ。
【発明の詳細な説明】
【技術分野】
【０００１】
本発明は、皮膚インピーダンス測定センサに関し、より詳細には、Ｒ電極（Reference  Electrode）およびＣ電極（Current  Carrying  Electrode）がユーザの肌に接触した後にＭ電極（Measuring  Electrode）が前記ユーザの肌に接触し、前記ユーザの肌を媒体として前記Ｒ電極およびＣ電極の間に流れる電流のインピーダンスが測定可能なように前記Ｍ電極が前記Ｒ電極およびＣ電極と段差を有するように設計されることで、皮膚インピーダンス測定の正確性を高めることができる皮膚インピーダンス測定センサに関する。
【背景技術】
【０００２】
多くの人々が美容に関心を持ち始めると同時に、肌の美容に対する関心も日々増加している。健康な肌に対する欲求は、単に美容分野のみに限られず、オゾン層の破壊によって強まる紫外線および各種公害から肌の健康を守るための医療分野の成長にも影響を及ぼしている。
【０００３】
普段、一般人が簡単に肌状態を自己診断する方法として、皮膚水分量の測定などがある。携帯用の皮膚水分量測定器を用いて自分の肌内の水分含有量を測定することができるが、これに関しては、皮膚のインピーダンスを測定する原理を介して具現可能である。
【０００４】
このような肌の水分量測定、すなわち肌のインピーダンスを測定するための皮膚インピーダンス測定装置に対する従来技術として、アメリカ特許ＵＳ５，７３８，１０７“Measurement  of  moisture  content  in  skin”を挙げることができる。前記従来技術の文献によると、５０ＫＨｚの正弦波を用いて３電極方式でアドミッタンスの交流（AC）成分であるサセプタンスを測定して肌の水気含有量を測定する方法が開示されている。
【０００５】
図１は、従来技術による皮膚インピーダンス測定装置のセンサおよび回路が示された図である。
【０００６】
図１の（ａ）に示されたように、皮膚インピーダンス測定センサ、はＲ電極、Ｃ電極、およびＭ電極から構成される。前記三つの電極から構成されたセンサがユーザの肌に接触すると、前記肌を媒体として前記Ｒ電極およびＣ電極の間には電流が流れる。このとき、前記Ｍ電極が前記Ｒ電極およびＣ電極の間に流れる電流のインピーダンスを測定するという原理で動作する。
【０００７】
このとき、電極がユーザの肌にどのように触れるかによってノイズが発生する恐れがある。すなわち、図１の（ｂ）に示された回路を参照すると、Ｏｐ  Ａｍｐに電源が供給された後、オフセット電流の影響を受けてｐＣでの電圧は瞬間的に＋Ｖｃｃまたは−Ｖｃｃで充電される。このとき、ユーザの肌がＣ電極およびＭ電極に接触すると瞬間的に多くの電流が流れるようになり、インピーダンス測定値が急激に大きくなるという現象が発生する。この後、Ｒ電極が前記ユーザ肌に接触すると、Ｃ電極の電圧は元来の安定した形態に復元される。
【０００８】
もう一度説明すると、ユーザの肌にＲ電極およびＣ電極が先に触れた後にＭ電極が触れる場合は正常な測定が可能であるが、Ｒ電極およびＭ電極が先に触れてＣ電極が触れる場合や、Ｃ電極およびＭ電極が先に触れてＲ電極が触れる場合には、測定値が非正常的に大きくなるというエラーが発生する。このような現象は図２にグラフで示されている。
【０００９】
図２の（ａ）グラフは、正常に測定された場合、すなわち、ユーザの肌にＲ電極およびＣ電極が先に触れた後にＭ電極が触れる場合による測定結果グラフであり、（ｂ）グラフは、非正常的に測定された場合、すなわち、Ｒ電極およびＭ電極が先に触れてＣ電極が触れる場合や、Ｃ電極およびＭ電極が先に触れてＲ電極が触れる場合による測定結果グラフである。前記各グラフにおいて、横軸は時間（秒）を、縦軸はインピーダンス値を意味する。
【００１０】
図２の（ａ）グラフのように、正常にインピーダンス値が測定される場合、１．３秒後には安定的な測定が可能であり、迅速に測定を完了することができ、各測定回数ごとに測定値の変位が小さく現れるため、より正確な測定が可能である。しかし、図２の（ｂ）グラフのように、非正常的にインピーダンス値が測定される場合、測定初期に非正常的なインピーダンス値が発生することによって、安定した測定値の獲得は２．５秒ないし４．１秒後になってはじめて可能となるため測定時間が長くなり、各測定回数による測定値の変位差が大きく発生するため、正確な測定を期待し難い。
【００１１】
このような従来技術の問題点によって、皮膚インピーダンス測定の再現性を保障し、より迅速かつより正確にユーザの肌のインピーダンスを測定可能にする皮膚インピーダンス測定センサの開発が求められている。
【発明の開示】
【発明が解決しようとする課題】
【００１２】
本発明は、前記のような従来技術を改善するために案出されたものであって、Ｒ電極およびＣ電極がユーザの肌に接触した後にＭ電極が前記ユーザの肌に接触するように、前記Ｒ電極およびＣ電極と前記Ｍ電極の間に段差を置いて設計することで、皮膚インピーダンス測定の正確性を保障することができる皮膚インピーダンス測定センサを提供することを目的とする。
【００１３】
また、本発明は、前記Ｒ電極、Ｃ電極、またはＭ電極と連結される弾性素子またはシーソーアームを設置することで、ユーザがより便利かつより正確に自分の肌のインピーダンスを測定可能にする皮膚インピーダンス測定センサを提供することを目的とする。
【課題を解決するための手段】
【００１４】
前記の目的を達成して、従来技術の問題点を解決するために、本発明に係る皮膚インピーダンス測定センサは、ユーザの肌に接触するＲ電極とＣ電極と、前記Ｒ電極および前記Ｃ電極の間に流れる電流のインピーダンスを測定するＭ電極とを含み、前記Ｍ電極は、前記Ｒ電極および前記Ｃ電極に対して段差を有することを特徴とする。
【００１５】
また、本発明に係る皮膚インピーダンス測定センサは、ユーザの肌に接触するＲ電極とＣ電極と、前記Ｒ電極および前記Ｃ電極と連結して、前記Ｒ電極および前記Ｃ電極からの圧力によって収縮する弾性素子と、前記Ｒ電極および前記Ｃ電極の間に流れる電流のインピーダンスを測定するＭ電極とを含み、前記Ｍ電極は、前記Ｒ電極および前記Ｃ電極に対して段差を有することを特徴とする。
【００１６】
また、本発明に係る皮膚インピーダンス測定センサは、ユーザの肌に接触するＲ電極とＣ電極と、前記Ｒ電極および前記Ｃ電極の間に流れる電流のインピーダンスを測定するＭ電極と、前記Ｒ電極、前記Ｃ電極、および前記Ｍ電極が連結したシーソーアーム部材（メンブレーン）とを含み、前記Ｍ電極は、前記Ｒ電極および前記Ｃ電極に対して段差を有し、前記シーソーアーム部材は、前記Ｒ電極および前記Ｃ電極の変位によって弾性運動する第１弾性素子と、前記Ｍ電極と連結して前記第１弾性素子の変位によって弾性運動する第２弾性素子と、を含むことを特徴とする。
【００１７】
本発明に係る皮膚インピーダンス測定センサは、移動通信端末機、ＰＤＡ（パーソナル  デジタル  アシスタント）、携帯型ゲーム機、ＭＰ３プレーヤ、ＰＭＰ（ポータブル  マルチメディア  プレーヤ）、ＤＭＢ（デジタル  マルチメディア  ブロードキャスティング）端末機、およびノートブックＰＣなどの携帯端末機のうちのいずれか一つで具現可能である。すなわち、前記皮膚インピーダンス測定センサは、前記携帯端末機の一部構成として具現可能である。また、前記皮膚インピーダンス測定センサは、前記携帯端末機の一部構成として具現されず、独立的な構成を有する単一物品としても具現可能である。
【発明の効果】
【００１８】
本発明の皮膚インピーダンス測定センサによると、Ｒ電極およびＣ電極がユーザの肌に接触した後にＭ電極が前記ユーザの肌に接触するように、前記Ｒ電極およびＣ電極と前記Ｍ電極の間に段差を置いて設計することで、皮膚インピーダンス測定の正確性を保障することができるという効果を得ることができる。
【００１９】
また、本発明の皮膚インピーダンス測定センサによると、前記Ｒ電極、Ｃ電極、またはＭ電極を支持する弾性素子またはシーソーアームを設置することで、ユーザがより便利かつより正確に自分の皮膚インピーダンスを測定することができるという効果を得ることができる。
【発明を実施するための最良の形態】
【００２０】
以下、添付の図面を参照して、本発明の実施形態を詳しく説明する。
【００２１】
図３は、本発明の第１実施形態に係る皮膚インピーダンス測定センサの構造を示した図である。
【００２２】
本発明の第１実施形態に係る皮膚インピーダンス測定センサ３１０は、Ｍ電極３１２がＲ電極３１１およびＣ電極３１３に対して段差を有するように具現される。
【００２３】
本発明の第１実施形態に係る皮膚インピーダンス測定センサ３１０は、Ｒ電極３１１、Ｃ電極３１３、およびＭ電極３１２を含んで構成される。Ｒ電極３１１、Ｃ電極３１３、およびＭ電極３１２は、従来技術を介して上述したように、アメリカ特許ＵＳ５，７３８，１０７“Measurement  of  moisture  content  in skin”による各電極の構成および動作を含むように具現可能である。
【００２４】
本発明の第１実施形態に係る皮膚インピーダンス測定センサ３１０は、Ｍ電極３１２がＲ電極３１１およびＣ電極３１３に対して段差を有するように具現される。すなわち、図３に示されたように、皮膚インピーダンス測定センサ３１０がユーザの肌３２０に接触する場合、Ｒ電極３１１およびＣ電極３１３がユーザ肌に接触した後にＭ電極３１２が肌３２０に接触するように、Ｍ電極３１２がＲ電極３１１およびＣ電極３１３に比べて段差を有するように窪んだ形態で設計される。
【００２５】
このとき、Ｍ電極３１２がＲ電極３１１およびＣ電極３１３に比べて段差を有する窪んだ形態で設置されると、弾力を有するという肌の特性上、Ｍ電極３１２はＲ電極３１１およびＣ電極３１３がユーザの肌に接触した後に前記ユーザの肌に接触可能となる。すなわち、ユーザが皮膚インピーダンス測定センサ３１０を肌に接触させるために加える圧力は、Ｒ電極３１１およびＣ電極３１３を介して前記ユーザの肌に伝達される。このとき、Ｒ電極３１１およびＣ電極３１３に接触するユーザの肌３２０が圧力を受けるようになると、Ｍ電極３１２の下に位置するユーザの肌３２０は前記圧力による肌の弾力によって盛り上がるようになり、Ｍ電極３１２に接触可能となる。
【００２６】
従って、Ｒ電極３１１およびＣ電極３１３に対するＭ電極３１２の段差は、Ｒ電極３１１およびＣ電極３１３が肌３２０に先に触れた後、前記肌の弾力によってＭ電極３１２に肌３２０が触れることができる範囲内で具現される。例えば、好ましくは、前記段差が前記範囲内の値である１ｍｍないし２ｍｍの値を有するように設計されたりする。
【００２７】
前記のような皮膚インピーダンス測定センサ３１０の構造によって、ユーザが皮膚インピーダンス測定センサ３１０を肌３２０に接触させる場合、Ｒ電極３１１およびＣ電極３１３が肌３２０に先に接触する。この後、ユーザが加える圧力がＲ電極３１１およびＣ電極３１３に加えられることによってＲ電極３１１およびＣ電極３１３の間に位置する肌３２０が弾力を受けるようになり、Ｍ電極３１２に肌３２０が接触可能となる。このとき、Ｒ電極３１１およびＣ電極３１３の間には肌３２０を媒体として微細電流が流れ、Ｍ電極３１２を介して前記微細電流のインピーダンスを測定することができる。
【００２８】
本発明の第１実施形態に係る皮膚インピーダンス測定センサ３１０の各電極は、バー（Bar）形態を有するように具現される。皮膚インピーダンス測定センサ３１０を携帯端末機の一部構成として具現する場合、センサの小型化が求められる。皮膚インピーダンス測定センサ３１０を小型化する場合、肌３２０に接触するＭ電極３１２の断面積も小型化せざるを得ない。しかし、Ｍ電極３１２の断面積が小くなるとインピーダンス測定信号のサイズが小くなり、相対的にノイズが増加するという問題点が生じる。
【００２９】
これにより、本発明の一実施形態に係る皮膚インピーダンス測定センサ３１０の各電極は、図４の（ａ）に示されたように、バー（bar）形態を有するように具現される。すなわち、図４の（ａ）に示されたように、センサの電極を小型化しながら肌に接触するＭ電極の断面積が一定水準で維持されるように、Ｒ電極、Ｍ電極、およびＣ電極はそれぞれバー形態でデザインされる場合もある。
【００３０】
このように、前記各電極をバー形態でデザインする場合、肌に接触する電極の断面積を一定水準以上で維持することができ、肌内の水分が少ないユーザにも皮膚インピーダンス測定の再現性を保障することができる。また、頬や手の甲のように測定部位別の肌の屈曲と弾性の差によって各電極が肌に充分に接触されない場合でも、前記広い電極の断面積によって測定の再現性を保障することができるという効果を期待することができる。また、図４の（ｂ）に示されたように、本発明に係る皮膚インピーダンス測定センサは、小型化と共にユーザ測定圧力とセンサの高さを調整可能にするために、スプリングなどの弾性素子などを含んで具現されたりもする。
【００３１】
この他にも、皮膚インピーダンス測定センサ３１０の各電極は、小型でありながらも肌に接触する各電極の断面積を最大化することができるというあらゆる多様な形態を含んだ具現が可能である。
【００３２】
これまでは、本発明の第１実施形態によってＭ電極がＲ電極およびＣ電極に対して段差のみを有するように具現される皮膚インピーダンス測定センサ３１０に対して説明した。すなわち、本発明の第１実施形態は、接触する肌を基準として前記Ｍ電極が前記Ｒ電極およびＣ電極に比べて低い高さを有する皮膚インピーダンス測定センサに関したものであった。
【００３３】
以下では、図５および図６を参照して、Ｍ電極がＲ電極およびＣ電極に対して段差を有するだけでなく、弾性素子またはシーソーアーム部材の動作によって、Ｒ電極、Ｃ電極、またはＭ電極が移動するようになる皮膚インピーダンス測定センサの構成および動作に対して説明する。
【００３４】
図５は、本発明の第２実施形態に係る皮膚インピーダンス測定センサの構造を示した図である。図５の（ａ）は、前記皮膚インピーダンス測定センサの正面図であり、図５の（ｂ）は、前記皮膚インピーダンス測定センサの側面図である。
【００３５】
本発明の第２実施形態に係る皮膚インピーダンス測定センサは、Ｒ電極５１０、Ｃ電極５２０、Ｍ電極５３０、弾性素子５４０、Ｒ電極支持台５１１、Ｃ電極支持台５２１、およびＭ電極支持台５３１を含んで構成される。
【００３６】
Ｒ電極５１０はＲ電極支持台５１１によって支持され、Ｃ電極５２０はＣ電極支持台５２１に支持され、Ｍ電極５３０はＭ電極支持台５３１によって支持される。また、Ｒ電極支持台５１１およびＣ電極支持台５２１は、弾性素子５４０と連結される。このとき、Ｍ電極支持台５３１は、弾性素子５４０と連結されない。
【００３７】
また、本発明の第１実施形態に係る皮膚インピーダンス測定センサの電極構造と同様に、本発明の第２実施形態に係る皮膚インピーダンス測定センサのＭ電極５３０は、Ｒ電極５１０およびＣ電極５２０に対して肌を基準として低い高さを有する段差を有するように具現される。
【００３８】
ユーザが皮膚インピーダンス測定のために前記皮膚インピーダンス測定センサを肌に接触させる場合、Ｍ電極５３０との段差により、Ｒ電極５１０およびＣ電極５２０が先に前記ユーザ肌に接触するようになる。前記肌に接触したＲ電極５１０およびＣ電極５２０は、前記ユーザが前記皮膚インピーダンス測定センサに加える圧力を受ける。前記圧力は、Ｒ電極支持台５１１およびＣ電極支持台５２１に伝達される。Ｒ電極支持台５１１およびＣ電極支持台５２１に伝達された前記圧力は、弾性素子５４０に伝達される。
【００３９】
前記加えられる圧力によって弾性素子５４０は収縮する。弾性素子５４０が収縮することによって、弾性素子５４０の支持を受けているＲ電極支持台５１１およびＣ電極支持台５２１も弾性素子５４０の前記収縮方向に移動するようになる。従って、Ｒ電極５１０およびＣ電極５２０も前記収縮方向に移動するようになる。すなわち、図５（ａ）において、右図のように、Ｒ電極５１０およびＣ電極５２０は、弾性素子５４０の収縮方向である下方向に動くようになる。
【００４０】
従って、Ｒ電極５１０およびＣ電極５２０が下方向に移動することによって、Ｍ電極５３０が前記ユーザの肌に接触可能となる。Ｍ電極５３０が前記ユーザの肌に接触すると、前記肌を媒体としてＲ電極５１０およびＣ電極５２０の間に流れる電流のインピーダンスをＭ電極５３０を介して測定することができる。
【００４１】
このように、本発明の第２実施形態によると、Ｍ電極５３０をＲ電極５１０およびＣ電極５２０に対して段差を有するように設計して、弾性素子５４０がＲ電極５１０およびＣ電極５２０と連結されるようにし、Ｒ電極５１０およびＣ電極５２０が肌に先に接触した後に弾性素子５４０の収縮方向に移動するようにして、Ｍ電極５３０が自動的に前記肌に接触するようにすることで、皮膚インピーダンス測定の再現性を高めることができるという効果を期待することができる。
【００４２】
図６は、本発明の第３実施形態に係る皮膚インピーダンス測定センサの構造を示した図である。
【００４３】
本発明の第３実施形態に係る皮膚インピーダンス測定センサは、Ｒ電極６１０、Ｃ電極６２０、Ｍ電極６３０、第１弾性素子６４０、第２弾性素子６５０、シーソーアーム６６０、Ｒ電極支持台６１１、Ｃ電極支持台（未図示）、およびＭ電極支持台６３１を含んで構成される。第１弾性素子６４０、第２弾性素子６５０、シーソーアーム６６０、Ｒ電極支持台６１１、前記Ｃ電極支持台、およびＭ電極支持台６３１は、一つのシーソーアーム部材として具現される。
【００４４】
Ｒ電極６１０はＲ電極支持台６１１によって支持され、Ｃ電極６２０はＣ電極支持台に支持され、Ｍ電極６３０はＭ電極支持台６３１によって支持される。また、Ｒ電極支持台６１１およびＣ電極支持台は、第１弾性素子６４０と連結される。また、Ｍ電極支持台６３１は、第２弾性素子６５０と連結される。また、シーソーアーム６６０は一対で具現され、各シーソーアーム６６０の外側部分が第１弾性素子６４０に接触し、内側部分が第２弾性素子６５０に接触するように具現される。
【００４５】
本発明の第３実施形態に係る皮膚インピーダンス測定センサのＭ電極６３０は、第１実施形態と同様に、Ｒ電極６１０およびＣ電極６２０に対して肌を基準として低い高さを有する段差を有するように具現される。
【００４６】
ユーザが皮膚インピーダンス測定のために前記皮膚インピーダンス測定センサを肌に接触させる場合、Ｍ電極６３０との前記段差によってＲ電極６１０およびＣ電極６２０が前記ユーザの肌に先に接触する。前記肌に接触したＲ電極６１０およびＣ電極６２０は、前記ユーザが前記皮膚インピーダンス測定センサに加える圧力を受ける。前記圧力は、Ｒ電極支持台６１１およびＣ電極支持台に伝達される。Ｒ電極支持台６１１およびＣ電極支持台に伝達された前記圧力は、第１弾性素子６４０に伝達される。
【００４７】
第１弾性素子６４０は、前記伝達された圧力によって各シーソーアーム６６０の外側部分に圧力を加えるようになる。前記外側部分に圧力が加えられると、シーソーアーム６６０はシーソー運動をするようになり、内側部分を介して第２弾性素子６５０に圧力を加えるようになる。
【００４８】
第２弾性素子６５０は、シーソーアーム６６０から加えられた圧力によって収縮してＭ電極支持台６３１に圧力を加え、前記圧力はＭ電極６３０にそのまま伝達される。従って、Ｍ電極は、前記圧力によって第２弾性素子６５０の収縮方向、すなわち、図６において上側部分に移動するようになってユーザの肌に接触可能となる。
【００４９】
もう一度説明すると、前記皮膚インピーダンス測定センサがユーザの肌に接触すると、Ｒ電極６１０およびＣ電極６２０は第１弾性素子６４０の収縮方向である下方へ移動し、Ｍ電極６３０は第２弾性素子６５０の収縮方向である上方へ移動するようになり、Ｒ電極６１０およびＣ電極６２０が肌に先に触れた後、Ｍ電極６３０が自然に前記肌に触れることができるようになる。
【００５０】
このように、本発明の第２実施形態によると、シーソーアーム６６０のシーソー運動によって第２弾性素子６５０を介してＭ電極６３０が移動して肌に接触することで、皮膚インピーダンス測定の再現性をより高めることができるという効果を期待することができる。
【００５１】
図５および図６を介して説明した本発明の第２実施形態および第３実施形態に係る皮膚インピーダンス測定センサのＲ電極、Ｃ電極、およびＭ電極は、本発明の第１実施形態に係る皮膚インピーダンス測定センサの各電極と同様に、すべてバー形態で具現される。
【００５２】
この他にも、前記皮膚インピーダンス測定センサの各電極は、小型でありながらも肌に接触する各電極の断面積を最大化することができるというあらゆる多様な形態を含んだ具現が可能である。
【００５３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。
【００５４】
すなわち、本発明の技術的範囲は、特許請求の範囲に基づいて定められ、発明を実施するための最良の形態により制限されるものではない。
【図面の簡単な説明】
【００５５】
【図１】従来技術による皮膚インピーダンス測定装置のセンサおよび回路が示された図である。
【図２】従来技術による皮膚インピーダンス測定結果を示したグラフである。
【図３】本発明の第１実施形態に係る皮膚インピーダンス測定センサの構造を示した図である。
【図４】本発明に係る皮膚インピーダンス測定センサの具現例を示した図である。
【図５】本発明の第２実施形態に係る皮膚インピーダンス測定センサの構造を示した図である。
【図６】本発明の第３実施形態に係る皮膚インピーダンス測定センサの構造を示した図である。
【符号の説明】
【００５６】
３１０  皮膚インピーダンス測定センサ
３１１、５１０、６１０  Ｒ電極
３１２、５３０、６３０  Ｍ電極
３１３、５２０、６２０  Ｃ電極
３２０  ユーザの肌
５１１、６１１  Ｒ電極支持台
５２１  Ｃ電極支持台
５３１、６３１  Ｍ電極支持台
５４０  弾性素子
６４０  第１弾性素子
６５０  第２弾性素子
６６０  シーソーアーム
【図１】
0004607146.tif 000002
【図３】
0004607146.tif 000003
【図５】
0004607146.tif 000004
【図６】
0004607146.tif 000005
【図２】
0004607146.tif 000006
【図４】
0004607146.tif 000007